(57)【要約】【課題】  ピアスの本体が見える側から、パネルの裏側に位置するキャッチを透視できるピアス用の展示具を提供する。【解決手段】  ピアス用の展示具１０は、パネル１２を略矩形状に形成し、パネル１２の上縁１４で、かつ裏面１２ａ側にパネル１２を支える支え部１６を設け、パネル１２の表面１２ｂの外周を装飾用に着色した着色部１８とするとともに、この着色部１８で囲われた部位を透明なデザイン部２０とし、この透明なデザイン部２０内には４個の差込孔２２が形成され、前記着色部１８と透明デザイン部２０との境界には縁取り部３０が備えられている。【選択図】      図１
0003106901.tif 000002
【実用新案登録請求の範囲】
【請求項１】
パネルにピアスの針を差し込む差込孔が形成され、差込孔にピアスの針を差し込み、差込孔から突出した針にキャッチを嵌合させてピアスをパネルに固定するピアス用の展示具であって、
前記パネルの外周を装飾用に着色した着色部とするとともに、この着色部で囲われた部位を透明なデザイン部とし、この透明なデザイン部に前記差込孔が形成され、前記パネルの上縁近傍の裏面にパネルを支える支え部が設けられたことを特徴とするピアス用の展示具。
【請求項２】
前記着色部とデザイン部との境界を明瞭にする縁取り部を備えたことを特徴とする請求項１に記載のピアス用の展示具。
【請求項３】
前記支え部は、前記パネルを陳列ボードや陳列チェーン等の係止部に係止可能なフックであることを特徴とする請求項１又は請求項２に記載のピアス用の展示具。
【請求項４】
前記差込孔は、少なくとも２個以上備え、３個以上備える場合には、それぞれの差込孔間の間隔が異なるように配置することを特徴とする請求項１〜３のいずれか１項に記載のピアス用の展示具。
【請求項５】
前記透明なデザイン部は、ハート形、スペード、クラブやダイヤ等の任意の形状から選択可能なものであることを特徴とする請求項１〜４のいずれか１項に記載のピアス用の展示具。
【考案の詳細な説明】
【技術分野】
【０００１】
本考案はピアス用の展示具に係り、さらに詳しくは特に女性装着する装飾用具としてのピアスを、美しく見えるように陳列することで、購買力を高められるようにしたピアス用の展示具に関する。
【背景技術】
【０００２】
女性用の装飾具として、耳朶に取り付けるピアス等が知られているが、これらの装飾具を販売店で陳列する場合には、例えば、複数個のピアス（同種のものや、異種のものが混合しているものも含む）を収容箱の中にまとめて入れて店頭に陳列している。
【０００３】
しかし、ピアスを収容箱に入れた状態で店頭に陳列すると、それぞれのピアスが重なり合ったりして、個々のピアスのデザインや色彩、大きさ等を、顧客に美しく見せることが難しいという問題があった。
【０００４】
この問題を解消するために、台紙に一対の差込孔を開け、それぞれの差込孔にピアスの針（ポスト）を差し込んでピアスを取り付け、このピアスを取り付けた台紙を陳列するという展示台紙が提案されている（例えば、特許文献１参照。）。
【特許文献１】実用新案登録第３０７９７１２号公報
【０００５】
また、上記の展示台紙によれば、それぞれのピアスを個別に分けて陳列することができるので、個々のピアスのデザインや色彩、大きさ等を、顧客に美しく見せることは可能である。
【考案の開示】
【考案が解決しようとする課題】
【０００６】
ところで、顧客がピアスを購入する際に、ピアスのデザインや色彩、大きさ等の他に、キャッチの形状や材質、大きさも重要な選択肢となる。
しかしながら、展示台紙にピアスを取り付けた場合に、キャッチは展示台紙の裏側に位置するため、顧客からキャッチを見ることはできない。
【０００７】
このため、顧客は、キャッチの形状や材質、大きさを確認するために、展示台紙を手に取って反転させる必要があり、展示台紙の表側からキャッチを見ることができる展示具の実用化が望まれていた。
特に、ピアスがケース内に陳列されていて、顧客がケース内からピアスを自由に取り出せないような場合には、この要望が強い。
【０００８】
この考案は、ピアスが見える側から、キャッチを同時に見ることができ、かつデザイン的にも優れるピアス用の展示具を提供して、上述した全ての問題点を解消しようとするものである。
【課題を解決するための手段】
【０００９】
上記目的を達成するために、請求項１記載の考案は、パネルにピアスの針を差し込む差込孔が形成され、差込孔にピアスの針を差し込み、差込孔から突出した針にキャッチを嵌合させてピアスをパネルに固定するピアス用の展示具であって、前記パネルの外周を装飾用に着色した着色部とするとともに、この着色部で囲われた部位を透明なデザイン部とし、この透明なデザイン部に前記差込孔が形成され、前記パネルの上縁近傍の裏面にパネルを支える支え部が設けられたことを特徴とする。
【００１０】
透明なデザイン部に差込孔を形成することで、差込孔にピアスの針を差し込み、差込孔から突出した針にキャッチを嵌合させてピアスを、透明なデザイン部に固定することが可能になる。
このため、透明なデザイン部の裏面にキャッチが配置されても、透明なデザイン部の表側、すなわち顧客がピアスを見る側から、デザイン部の裏側のキャッチの状態を透視することができる。
このようにして、顧客は、ピアスを購入する際に、キャッチの形状や材質を簡単に確認できるようになる。
【００１１】
また、透明なデザイン部を着色部で囲うことで、ピアスが一層引き立つように、デザイン部の形状を決めて、購買力の向上を図ることができる。
さらに、パネルの上縁近傍の裏面には支え部を設けることで、このパネルを好ましい展示箇所に自由に陳列することが可能となる。
【００１２】
請求項２は、前記着色部とデザイン部との境界を明瞭にする縁取り部を備えたことを特徴とする。
【００１３】
これにより、透明なデザイン部を明瞭にさせることが可能になり、デザイン部に固定したピアスをより一層引き立たせることが可能になり、購買力の向上を図ることができる。
【００１４】
請求項３は、前記支え部は、前記パネルを陳列ボードや陳列チェーン等の係止部に係止可能なフックであることを特徴とする。
【００１５】
支え部をフックにすることで、一例として陳列ボードの上端にフックをかけることで、パネルを顧客から見やすい位置に簡単に陳列することができ、ピアスのデザインや色彩、大きさ等を顧客に美しく見せることが可能となる。
【００１６】
請求項４は、前記差込孔は、少なくとも２個以上備え、３個以上備える場合には、それぞれの差込孔間の間隔が異なるように配置することを特徴とする。
【００１７】
それぞれの差込孔間の間隔を異なるように配置することで、ピアス同士が干渉しないように、ピアスのサイズに合わせて差込孔を選択することができる。
一対のピアスを互いに離した状態でデザイン部に固定することが可能となり、個々のピアスのデザインや色彩、大きさ等を、顧客に美しく見せられるようになる。
【００１８】
請求項５は、前記透明なデザイン部は、ハート形、スペード、クラブやダイヤ等の任意の形状から選択可能なものであることを特徴とする。
【００１９】
透明なデザイン部を、例えば、ピアスの形状に合わせて、多種の形状から任意に選択することができ、デザイン部の形状でピアスをより一層引き立たせることが可能になり、この点で購買力の向上を図ることができる。
【考案の効果】
【００２０】
請求項１〜５に係る考案では、透明なデザイン部にピアスを固定してデザイン部の裏面にキャッチを配置することで、ピアスを購入する際に、顧客は、デザイン部の裏側のキャッチを透視でき、キャッチの形状や材質、大きさを簡単に確認することができるという利点がある。
【考案を実施するための最良の形態】
【００２１】
以下添付図に基づいて、本考案に係るピアス用の展示具の一実施の形態を詳説する。
図１は本考案に係るピアス用の展示具を示す斜視図、図２は本考案に係るピアス用の展示具にピアスを固定して展示ボードにかけた状態を示す斜視図、図３は本考案に係るピアス用の展示具要部を示す正面図、図４は本考案に係るピアス用の展示具にピアスを固定して展示台に載置した状態を示す斜視図である。
【００２２】
図１〜図２に示すように、ピアス用の展示具１０は、パネル１２を略矩形状に形成し、パネル１２の上縁１４で、かつ裏面１２ａ側にパネル１２を支える支え部１６を設け、パネル１２の表面１２ｂの外周を装飾用に着色した着色部１８（図１において、網目で示すエリア）とするとともに、この着色部１８で囲われた部位を透明なデザイン部２０とし、この透明なデザイン部２０に複数個（４個）の差込孔２２が形成され、着色部１８と透明デザイン部２０との境界には縁取り部３０が形成されている。
【００２３】
このピアス用の展示具１０は、パネル１２の差込孔２２に、パネル１２の表面１２ｂ側からピアス２４の針２６を差し込み、差込孔２２からパネル１２の裏面１２ａ側に突出した針２６にキャッチ２８を嵌合させてピアス２４をパネル１２に固定するものである。
【００２４】
ピアス２４は、使用者の耳朶（図示せず）に形成した取付孔に針２６を差し込み、耳朶の裏側から突出した針２６の先端部にキャッチ２８を嵌合させることにより、耳朶に取り付ける装飾用具である。
【００２５】
キャッチ２８は、軟質樹脂で弾性変形可能に形成された筒体であって、キャッチの貫通孔２８ａ（図１参照）の内径を、針２６の外径より僅かに小さく形成したものである。
キャッチ２８を弾性変形させながら、針２６を貫通孔２８ａに挿通し、針２６を貫通孔２８ａに比較的きつい状態で嵌合させて、キャッチ２８が針２６から抜け出さないようにしている。
【００２６】
パネル１２は、例えば、略矩形状に形成した合成樹脂製の板状の部材であって、その一部を透明部に形成したものである。
【００２７】
支え部１６は、パネル１２の上縁１４で、かつパネル１２の裏面１２ａ側に、一例として断面略Ｌ形に形成したフックであり、パネル１２を陳列ボード３２（図２参照）や陳列チェーン（図示せず）等の係止部に係止する際にパネル１２を支えるための部材である。
この支え部１６を備えることで、パネル１２を好みの展示箇所に自由に陳列することができる。
【００２８】
そして、支え部１６の形態をフックに形成することで、一例として陳列ボード３２の上端にフック１６をかけることができ、パネル１２を顧客から見やすい位置に陳列することができ、ピアス２４のデザインや色彩、大きさ等を顧客に美しく見せられるようにしている。
【００２９】
図４に示すように、パネル１２は、支え部１６で、陳列ボード３２や陳列チェーン（図示せず）等の係止部に係止させずに、陳列台３６に載置することにより、ピアス２４を展示することも可能である。
【００３０】
着色部１８は、パネル１２の表面１２ｂの外周を、例えば、白色の色彩で装飾用に着色した部位（図１において、網目で示すエリア）である。
この着色部１８でデザイン部２０を囲うことで、ピアス２４を一層引き立たたせるように、デザイン部２０の形状を決めることが可能である。
【００３１】
透明なデザイン部２０は、一例として、ハート形に形成された部位であり、パネル１２の裏面１２ａ側に配置したキャッチ２８を、パネル１２の表面１２ｂ側から透視することができるように、透明に形成されている。
【００３２】
ハート形に形成されたデザイン部２０内には、上下方向における略中央位置に一対の差込孔２２ａが左右方向に所定間隔を存して形成されており、この一対の差込孔２２ａの下方には、同じく左右方向に所定の間隔を存して、他の一対の差込孔２２ｂが形成されている。
ここで理解を容易にするために、上側の一対の差込孔２２を、符号２２ａとして示し、下側の一対の差込孔２２を、符号２２ｂとして示している。
【００３３】
図３に示すように、上側一対の差込孔２２ａの間隔と、下側一対の差込孔２２ｂの間隔と、上下の差込孔の間隔を、それぞれＳ１として表示し、上側の差込孔２２ａと下側の差込孔２２ｂとの対角線上の間隔をＳ２として表示している。
【００３４】
すなわち、差込孔２２ａ，２２ｂ間の対角線上の間隔Ｓ２を、差込孔２２ａ同士の間隔Ｓ１、差込孔２２ｂ同士の間隔Ｓ１、上下に位置する差込孔２２ａと差込孔２２ｂとの間隔Ｓ１と異なるように形成配置しているので、例えば、上側の差込孔２２ａのうち、右側の差込孔２２ａと、下側の差込孔２２ｂのうち、左側の差込孔２２ｂとに、それぞれピアス２４の針を差し込むことで、一対のピアス２４を互いに距離Ｓ２を確保した状態で配置できるようになる。
【００３５】
これにより、ピアス２４が大型の場合でも、それぞれのピアス２４同士がぶつかって干渉することがなくなり、一対のピアス２４を互いに離して、デザイン部２０にきれいに配置できるようになる。
【００３６】
一方、ピアス２４が、比較的小型の場合には、上側（又は下側）の一対の差込孔２２ａ又は２２ｂに、それぞれのピアス２４を固定しても、それぞれのピアス２４同士がぶつかって干渉することはなく、一対のピアス２４を互いに離して、デザイン部２０にきれいに配置できるようになる。
【００３７】
縁取り部３０は、着色部１８と透明デザイン部２０との境界を明瞭にするために、一例として、赤色の色彩で形成してある部位である。
縁取り部３０を備えることで、透明なデザイン部２０を際立たせることが可能となり、デザイン部２０に固定したピアス２４をより一層引き立たせることが可能となる。
【００３８】
本考案に係るピアス用の展示具１０によれば、透明なデザイン部２０に差込孔２２を形成することで、差込孔２２にピアス２４の針２６を差し込み、差込孔２２から突出した針２６にキャッチ２８を嵌合させてピアス２４を、透明なデザイン部２０にしっかり固定することが可能となる。
【００３９】
このように、透明なデザイン部２０の裏面にキャッチ２８が配置され、透明なデザイン部２０の表面側、すなわち顧客がピアス２４を見るパネル１２の表面１２ｂ側から、デザイン部２０の裏側のキャッチ２８を透視できる状態となる。
【００４０】
なお、前記実施の形態では、透明なデザイン部２０をハート形に形成した例について説明したが、デザイン部２０の形状は、その他スペード形、クローバー形、ダイヤ形、四角形、丸形、菱形、三角形等の多数の形状から任意に選択することができる。
このように、デザイン部２０の形状でピアス２４をより一層引き立たせることが可能になり、これにより購買力の向上を図ることができる。
【００４１】
また、前記実施の形態では、着色部１８を白色の色彩で着色した例について説明しているが、その他の色彩で着色することももちろん可能である。
【００４２】
さらに、前記実施の形態では、縁取り部３０を、一例として赤色の色彩で形成したが、縁取り部３０の色彩は適宜選択することが可能である。また、この縁取り部３０を形成しなくてもよい。
【００４３】
ついで、前記実施の形態では、パネル１２を略矩形状に形成したが、パネル１２の形状は適宜選択することができる。
【００４４】
また、前記実施の形態では、透明なデザイン部２０複数個の差込孔２２として４個の差込孔２２を形成した例について説明したが、この差込孔２２の個数は適宜選択することができる。
【００４５】
さらに、前記実施の形態では、支え部１６としてフックを例に説明したが、支え部１６はフックに限られることはない。要は、パネル１２を陳列ボード３２（図２参照）や陳列チェーン（図示せず）等の係止部に係止可能となっていればよく、さらには陳列台３６に載置可能であってもかまわない。
【図面の簡単な説明】
【００４６】
【図１】本考案に係るピアス用の展示具を示す斜視図である。
【図２】本考案に係るピアス用の展示具にピアスを固定して展示ボードにかけた状態を示す斜視図である。
【図３】本考案に係るピアス用の展示具要部を示す正面図である。
【図４】本考案に係るピアス用の展示具にピアスを固定して展示台に載置した状態を示す斜視図である。
【符号の説明】
【００４７】
１０…ピアス用の展示具
１２…パネル
１２ａ…パネルの裏面
１４…パネルの上縁
１６…支え部
１８…着色部
２０…透明なデザイン部
２２（２２ａ，２２ｂ）…差込孔
２４…ピアス
２６…針（ポスト）
２８…キャッチ
３０…縁取り部
３２…陳列ボード
Ｓ１，Ｓ２…間隔
【図１】
0003106901.tif 000003
【図２】
0003106901.tif 000004
【図３】
0003106901.tif 000005
【図４】
0003106901.tif 000006